【手続補正書】
【提出日】平成20年1月10日(2008.1.10)
【手続補正１】
【補正対象書類名】特許請求の範囲
【補正対象項目名】全文
【補正方法】変更
【補正の内容】
【特許請求の範囲】
【請求項１】
認証物体内で無秩序に分布したフィーチャを決定するステップと、
前記無秩序に分布したフィーチャを表すデータを圧縮するステップであって、前記圧縮するステップは、
前記認証物体に関連付けられた確率密度関数を決定するステップと、
少なくとも部分的に前記確率密度関数に基づいて、前記無秩序に分布したフィーチャに関連付けられたベクトルを決定するステップと、
一定量のデータ内で前記ベクトルの一部を接続するパスを決定することを含む、算術符号化アルゴリズムを用いて前記ベクトルを符号化するステップとを含むことと、  
前記圧縮されたデータをプライベートキーで符号化するステップと、
前記認証物体および前記符号化されたデータを含むラベルを作成するステップと
を備えることを特徴とする方法。
【請求項２】
前記無秩序に分布したフィーチャは、前記認証物体内で無秩序に位置するファイバであることを特徴とする請求項１に記載の方法。
【請求項３】
前記確率密度関数は、特定の領域内のファイバが光源によって照明される確率を表すことを特徴とする請求項２に記載の方法。
【請求項４】
前記確率密度関数は、少なくとも部分的に、前記ファイバの長さに基づいて導出されることを特徴とする請求項２に記載の方法。
【請求項５】
各ベクトルは、２本のファイバの端点を表すことを特徴とする請求項２に記載の方法。
【請求項６】
前記ラベルは、自己認証されるように構成された実物証明書であり、前記認証物体は、前記実物証明書に含まれることを特徴とする請求項１に記載の方法。
【請求項７】
前記符号化されたデータは、バーコードとして前記ラベルに含まれることを特徴とする請求項１に記載の方法。
【請求項８】
文字列を含むテキストデータを決定するステップであって、前記テキストデータは前記ラベルに含まれることと、
前記テキストデータをアルゴリズムでハッシュするステップと、
前記ハッシュされたテキストデータを用いて前記圧縮されたデータを暗号化するステップであって、前記ハッシュされたテキストデータは前記圧縮されたデータを符号化する前に前記無秩序に分布したフィーチャを表すデータと結合されることと
をさらに備えることを特徴とする請求項１に記載の方法。
【請求項９】
前記アルゴリズムは、暗号化セキュアハッシュアルゴリズムであることを特徴とする請求項８に記載の方法。
【請求項１０】
前記アルゴリズムは、ＳＨＡ１暗号化アルゴリズムであることを特徴とする請求項８に記載の方法。
【請求項１１】
請求項１に記載の前記方法を実施するプロセッサによって実行が可能な命令を含むことを特徴とする１つまたは複数のコンピュータ読取り可能メモリ。
【請求項１２】
認証物体内で無秩序に分布したフィーチャを決定し、前記無秩序に分布したフィーチャを表すデータを圧縮するように構成された発行者であって、前記発行者は、前記認証物体に関連付けられた確率密度関数を決定し、少なくとも部分的に前記確率密度関数に基づいて前記無秩序に分布した属性に関連付けられたベクトルを決定し、データを圧縮する算術符号化アルゴリズムを適用することによって、一定量のデータ内でパスとしての前記ベクトルの一部を符号化して前記ベクトルを符号化するように構成され、さらに前記発行者は、前記圧縮されたデータをプライベートキーで符号化し、前記認証物体および前記符号化されたデータを含むラベルを作成するように構成されたこと
を備えたことを特徴とするシステム。
【請求項１３】
前記発行者は、前記符号化されたデータを含むバーコードを前記ラベルに含めるようにさらに構成されたことを特徴とする請求項１２に記載のシステム。
【請求項１４】
前記発行者は、文字列を含むテキストデータを決定し、前記テキストデータは前記ラベルに含まれており、前記テキストデータをアルゴリズムでハッシュするようにさらに構成されたことを特徴とする請求項１２に記載のシステム。
【請求項１５】
前記発行者は、前記ハッシュされたテキストデータを用いて前記圧縮されたデータを暗号化するように構成され、前記ハッシュされたテキストデータは前記圧縮されたデータを符号化する前に前記無秩序に分布したフィーチャを表すデータと結合されることを特徴とする請求項１４に記載のシステム。
【請求項１６】
前記ラベル内で前記無秩序に分布したフィーチャを表す前記データを復号し、前記復号されたデータと、前記認証物体から決定される実際の前記無秩序に分布したフィーチャのデータとを比較することによって、前記ラベルを認証するように構成された検証者をさらに備えることを特徴とする請求項１５に記載のシステム。
【請求項１７】
無秩序に分布したフィーチャを含む認証物体と、
前記認証物体に関連付けられた符号化された情報であって、前記情報はプライベートキーで符号化されており、前記認証物体内で前記無秩序に分布したフィーチャを表す圧縮されたデータを含み、前記符号化された情報中の前記データは、前記認証物体に関連付けられた確率密度関数を決定することと、少なくとも部分的に前記確率密度関数に基づいて、前記無秩序に分布した属性に関連付けられたベクトルを決定することと、一定量のデータ内で前記ベクトルの一部を接続するパスを決定することを含み、算術符号化アルゴリズムを用いて前記ベクトルを符号化することとによって圧縮されることと、を備え、
前記符号化された情報の復号と、前記認証物体を解析することによって得られた前記無秩序に分布したフィーチャを表すデータとを比較することによって、自己認証されることを特徴とするラベル。
【請求項１８】
前記符号化された情報は、前記ラベルにバーコードとして含まれることを特徴とする請求項１７に記載のラベル。
【請求項１９】
文字列を有するテキストデータであって、前記圧縮されたデータは前記テキストデータを用いて暗号化されることをさらに備えたことを特徴とする請求項１７に記載のラベル。
【請求項２０】
前記圧縮されたデータは、
前記テキストデータをアルゴリズムによってハッシュするステップと、
前記ハッシュされたテキストデータを用いて前記圧縮されたデータを暗号化するステップであって、前記ハッシュされたテキストデータは前記圧縮されたデータを符号化する前に前記無秩序に分布したフィーチャを表すデータと結合されることと、により暗号化されることを特徴とする請求項１９に記載のラベル。
【請求項２１】
認証物体内で無秩序に分布したフィーチャを決定する手段と、
前記無秩序に分布したフィーチャを表すデータを圧縮する手段であって、前記圧縮する手段は、
前記認証物体に関連付けられた確率密度関数を決定する手段と、
少なくとも部分的に前記確率密度関数に基づいて、前記無秩序に分布した属性に関連付けられたベクトルを決定する手段と、
一定量のデータ内で前記ベクトルの一部を接続するパスを決定することを含み、算術符号化アルゴリズムを用いて前記ベクトルを符号化する手段とを含むことと、
前記データをプライベートキーで符号化する手段と、
前記認証物体および前記符号化されたデータを含むラベルを生成する手段と
を備えたことを特徴とする装置。
【請求項２２】
前記無秩序に分布するフィーチャとして、前記認証物体内にファイバを組み込む手段をさらに備えたことを特徴とする請求項２１に記載の装置。
【請求項２３】
文字列を含むテキストデータを決定する手段であって、前記テキストデータは前記ラベルに含まれることと、
前記テキストデータをアルゴリズムでハッシュする手段と、
前記ハッシュされたテキストデータを用いて前記圧縮されたデータを暗号化する手段であって、前記ハッシュされたテキストデータは前記圧縮されたデータを符号化する前に前記無秩序に分布したフィーチャを表すデータと結合されることと
をさらに備えたことを特徴とする請求項２１に記載の装置。
【請求項２４】
前記符号化されたデータと、前記認証物体内で前記無秩序に分布したフィーチャに関連付けられた前記データとを比較することによって、前記ラベルを認証する手段をさらに備えたことを特徴とする請求項２１に記載の装置。